(57)【要約】      （修正有）【課題】手間を掛けずに簡単、確実に被包装物を包装でき、保冷性、携帯性に優れた保冷風呂敷を提供する。【解決手段】本保冷風呂敷１は、樹脂または布シート１１を有し、裏面にアルミ蒸着またはアルミ箔を使用したラミネートフィルムを有し、両者の間に所定厚さの発泡樹脂シートを備えた風呂敷本体３と、該風呂敷本体３の表面の角隅部３１に取り付けられる掛止め用ボタン５と、該掛止め用ボタン５の取付け位置Ｏから繰り出される輪形をしたゴム紐７とを具備し、ゴム紐７を掛止め用ボタン５の取付け位置Ｏから角隅部３１の先端に向けて所定角度の二方向に繰り出し、角隅部３１を形成する交差する二辺３５、３６の近傍で上記風呂敷本体３に係止することによって構成した。【選択図】図１
0003164631.tif 000002
【実用新案登録請求の範囲】
【請求項１】
表面に樹脂または布シートを有し、裏面にアルミ蒸着またはアルミ箔を使用したラミネートフィルムを有し、両着の間に所定厚さの発泡樹脂シートを備えた風呂敷本体と、
上記風呂敷本体表面の角隅部に取り付けられる掛止め用ボタンと、
上記掛止め用ボタンの取付け位置から繰り出される輪形をしたゴム紐と、を具備し、
上記ゴム紐は、上記掛止め用ボタンの取付け位置から当該角隅部の先端に向けて所定角度の二方向に繰り出され、当該角隅部を形成する交差する二辺の近傍で上記風呂敷本体に係止されていることを特徴とする保冷風呂敷。
【請求項２】
上記掛止め用ボタンの取付け位置から繰り出される上記ゴム紐の繰出し角度は、６０°〜９０°に設定されていることを特徴とする請求項１記載の保冷風呂敷。
【請求項３】
上記掛止め用ボタンは、上記風呂敷本体に対するゴム紐の２つの係止点からそれぞれ５ｃｍ〜１０ｃｍ離れた位置に取り付けられていることを特徴とする請求項１または２記載の保冷風呂敷。
【請求項４】
上記風呂敷本体の裏面における上記掛止め用ボタンが取り付けられている角隅部と対角をなす反対側の角隅部には、保冷剤を収容するポケット状または袋状の保冷剤収容部が設けられていることを特徴とする請求項１〜３のいずれか１項に記載の保冷風呂敷。
【請求項５】
上記発泡樹脂シートの厚さは、２ｍｍ〜４ｍｍに設定されていることを特徴とする請求項１〜４のいずれか１項に記載の保冷風呂敷。
【考案の詳細な説明】
【技術分野】
【０００１】
本考案は、弁当や生鮮食料品等を包むのに好適な保冷性を有し、持ち運びに便利な携帯性を有する保冷風呂敷に関する。
【背景技術】
【０００２】
風呂敷は被包装物の形状や大きさに拘らず、種々の被包装物を包装することができ、未使用時にはコンパクトに折り畳んで携帯することができる重宝さが受けて古くから使用されている。
また、近年、上記風呂敷の有する重宝さが見直されて下記の特許文献１、２に示すような新しいタイプの風呂敷も登場してきている。
【０００３】
下記の特許文献１、２に開示されている風呂敷は、一例として正方形状をしたシート素材である風呂敷本体の１つの角隅部に止め具となる輪形をしたゴム紐を取り付けたものである。
このタイプの風呂敷の場合には、従来の風呂敷のように風呂敷本体で被包装物をくるんだ後、風呂敷本体の対角をなす２つの角隅部を結んで包装形態を保つのではなく、上記輪形のゴム紐を利用して被包装物をくるんだ状態の風呂敷本体に対して直接ゴム紐を輪掛けしたり綾掛けすることで上記包装形態を保つようにしていた。
【先行技術文献】
【特許文献】
【０００４】
【特許文献１】実開昭６４−２９１６８号公報
【特許文献２】実用新案登録第３０２９７８７号公報
【考案の概要】
【考案が解決しようとする課題】
【０００５】
しかしながら、上記輪形のゴム紐を直接、風呂敷本体に掛けてその包装形態を保持する風呂敷の場合には、被包装物をくるんだ状態の風呂敷本体の胴寸法に合わせて収縮状態の小さな輪形のゴム紐を幅方向に伸張させて大きな輪形にしてからでなければ掛け止めすることができなかった。
従って、上記ゴム紐を幅方向に伸張させたり、綾掛けしたりする手間が必要な分、被包装物を包装する作業に手間が掛かっていた。
【０００６】
本考案はこのような点に基づいてなされたものでその目的とするところは、被包装物を手間を掛けずに短時間で包装でき、当該包装形態を確実に保持できる保冷性、携帯性に優れた保冷風呂敷を提供することにある。
【課題を解決するための手段】
【０００７】
上記目的を達成するべく本考案の請求項１による保冷風呂敷は、樹脂又は布シートを有し、裏面にアルミ蒸着またはアルミ箔を使用したラミネートフィルムを有し、両着の間に所定厚さの発泡樹脂シートを備えた風呂敷本体と、上記風呂敷本体表面の角隅部に取り付けられる掛止め用ボタンと、上記掛止め用ボタンの取付け位置から繰り出される輪形をしたゴム紐と、を具備し、上記ゴム紐は、上記掛止め用ボタンの取付け位置から当該角隅部の先端に向けて所定角度の二方向に繰り出され、当該角隅部を形成する交差する二辺の近傍で上記風呂敷本体に係止されていることを特徴とするものである。
【０００８】
また、請求項２による保冷風呂敷は、請求項１記載の保冷風呂敷において、上記掛止め用ボタンの取付け位置から繰り出される上記ゴム紐の繰出し角度は、６０°〜９０°に設定されていることを特徴とするものである。
【０００９】
また、請求項３による保冷風呂敷は、請求項１または２記載の保冷風呂敷において、上記掛止め用ボタンは、上記風呂敷本体に対するゴム紐の２つの係止点からそれぞれ５ｃｍ〜１０ｃｍ離れた位置に取り付けられていることを特徴とするものである。
【００１０】
また、請求項４による保冷風呂敷は、請求項１〜３のいずれか１項に記載の保冷風呂敷において、上記風呂敷本体の裏面における上記掛止め用ボタンが取り付けられている角隅部と対角をなす反対側の角隅部には、保冷剤を収容するポケット状または袋状の保冷剤収容部が設けられていることを特徴とするものである。
【００１１】
また、請求項５による保冷風呂敷は、請求項１〜４のいずれか１項に記載の保冷風呂敷において、上記発泡樹脂シートの厚さは、２ｍｍ〜４ｍｍに設定されていることを特徴とするものである。
【００１２】
そして、上記手段によって以下のような作用が得られる。まず、掛止め用ボタンの取付け位置から繰り出すゴム紐を所定角度の二方向に繰り出し、当該角隅部を形成する二端縁の近傍で風呂敷本体に係止するようにしたことにより、当該ゴム紐は、上記２つの係止点の間隔を少なくとも保って被包装物をくるんだ状態の風呂敷本体の前面を通って第１の折返し端に到達する。
また、上記左右のゴム紐は、上記第１の折返し端での間隔を維持した状態で上記風呂敷本体の後面を通って上記第１の折返し端と対向する位置の第２の折返し端に到達する。
【００１３】
更に、上記左右のゴム紐は、上記第２の折返し端に到達後、徐々に間隔を狭めて行き、上記風呂敷本体の前面を通って上記ゴム紐の先端部は、上記掛止め用ボタンに掛け止めされる。
従って、被包装物をくるんだ状態の風呂敷本体において左右方向に位置する２つの角隅部は、それぞれ左右方向に位置する第３の折返し端と第４の折返し端とによって上記風呂敷本体の前面側に折り返された後、上記間隔を保って上記風呂敷本体の前面を通る左右のゴム紐によって、それぞれの角隅部が確実に保持されるため保冷風呂敷の包装形態が安定して高い密封性が得られるようになる。
【００１４】
また、裏面に設けたアルミ蒸着またはアルミ箔を使用したラミネートフィルムと、中間に設けた所定厚さの発泡樹脂シートとを積層したことにより、所望の保冷効果が発揮される。
また、ゴム紐先端部の掛止め部材として掛止め用ボタンを採用したことにより、保冷風呂敷のデザインにアクセントを付けることが可能になり、保冷風呂敷のデザイン性を更に向上させることができる。
【００１５】
また、上記ゴム紐の繰出し角度を６０°〜９０°に設定した場合には、風呂敷本体の大きさ等に基づいて上記繰り出し角度を微調整することで種々の形状、大きさの被包装物に対応できるようになり、当該被包装物を確実に保持できるようになる。
【００１６】
また、上記掛止め用ボタンの取付け位置を風呂敷本体に対して設けた上記２つの係止点からそれぞれ５ｃｍ以上離れた位置に設定した場合には、上記第１の折返し端での左右のゴム紐の間隔が広くなって、保冷風呂敷の包装形態が一層安定する。
【００１７】
また、上記掛止め用ボタンが取り付けられている角隅部と対角をなす反対側の角隅部の裏面に保冷剤収容部を設けた場合には、該保冷剤収容部に保冷剤を収容することで保冷風呂敷の保冷性が向上する。また、当該保冷剤収容部が設けられる角隅部は、第１の折返し端で最初に折り返されて直接、被包装物に作用するため、保冷剤による保冷効果がより効果的に被包装物に伝搬されるようになる。
また、上記発泡樹脂シートの厚さを２ｍｍ〜４ｍｍに設定した場合には、保冷風呂敷に要求される必要な保冷性を確保しつつ、折り畳んだ状態の保冷風呂敷の嵩張りを極力小さくして保冷風呂敷の携帯性を向上させることができる。
【考案の効果】
【００１８】
本考案の保冷風呂敷によると、被包装物を手間を掛けずに短時間で包装でき、当該包装形態を確実に保持できる保冷性、携帯性に優れた保冷風呂敷を提供することが可能になる。
【図面の簡単な説明】
【００１９】
【図１】本考案の実施の形態を示す図で、被包装物を包装した状態の保冷風呂敷を示す斜視図である。
【図２】本考案の実施の形態を示す図で、展開した状態の保冷風呂敷を示す裏面側からの斜視図である。
【図３】本考案の実施の形態を示す図で、折り畳んだ状態の保冷風呂敷を示す斜視図である。
【図４】本考案の実施の形態を示す図で、展開した状態の保冷風呂敷を示す表面図である。
【図５】本考案の実施の形態を示す図で、展開した状態の保冷風呂敷を示す裏面図である。
【図６】本考案の実施の形態を示す図で、図４中のＡ−Ａ線における拡大断面図である。
【図７】本考案の実施の形態を示す図で、被包装物を包装する過程を段階的に示す斜視図である。
【図８】本考案の実施の形態を示す図で、ゴム紐を巻回後、左右のゴム紐の間隔を広げた状態の保冷風呂敷を示す斜視図である。
【図９】本考案の実施の形態を示す図で、他の被包装物を包装した状態の保冷風呂敷を示す斜視図である。
【考案を実施するための形態】
【００２０】
以下、図１〜図９に示す実施の形態を例にとって本考案を実施するための形態を説明する。
本考案の保冷風呂敷１は、弁当や生鮮食料品等、保冷性が必要とされる被包装物Ａを包むのに好適な保冷風呂敷である。そして、この保冷風呂敷１は、被包装物Ａを実際にくるむ風呂敷本体３と、該風呂敷本体３表面の角隅部３１に取り付けられる掛止め用ボタン５と、上記掛止め用ボタン５の取付け位置Ｏから繰り出される輪形をしたゴム紐７と、を具備することによって基本的に構成されている。
【００２１】
このうち、風呂敷本体３は、表面に樹脂または布シート１１を有し、裏面にアルミ蒸着またはアルミ箔を使用したラミネートフィルム１３を有している。また、上記撥水樹脂シート１１とラミネートフィルム１３との間には所定厚さの発泡樹脂シート１５が配設されており、更に、本実施の形態ではこれらの周囲に縁１７を宛てがい、図６に示すように一例として縁１７の表面側の端部を内側に折り返した状態で糸１９によって縁かがりする縫製加工によって風呂敷本体３が成形されている。尚、この成形は縫製加工に限られず、接着等により行っても良い。
【００２２】
上記樹脂または布シート１１としては、軽撥水効果を有するポリエステル生地が一例として使用でき、上記縁１７の材料としても同様のポリエステル生地が使用できる。尚、ポリエステル生地以外のナイロン等を使用することもできるし、綿や絹等の布を使用しても良い。
また、上記発泡樹脂シート１５としては、厚さｔが２ｍｍ〜４ｍｍに設定されている発泡ポリエチレンシートが一例として適用可能である。
【００２３】
そして、このようにして成形される風呂敷本体３は、一例として４つの辺３５、３６、３７、３８の長さＬが約４８ｃｍの正方形状に形成されており、上述した掛止め用ボタン５が取り付けられる角隅部３１と、その対角に位置する反対側の角隅部３２と、これらの角隅部３１、３２と直交するそれぞれ対角に位置する２つの角隅部３３、３４との計４つの角隅部３１、３２、３３、３４を有している。
【００２４】
上記掛止め用ボタン５としては、縫製加工で一般に使用されている縫製用のボタンが一例として適用でき、該掛止め用ボタン５の取付け位置Ｏは、次に述べるゴム紐７の上記風呂敷本体３に対する２つの係止点Ｅ１、Ｅ２からそれぞれ距離Ｄが風呂敷本体３の大きさにもよるが一例として５ｃｍ〜１０ｃｍ離れた位置に設定されている。
【００２５】
ゴム紐７は、上記掛止め用ボタン５の取付け位置Ｏから当該角隅部３１の先端に向けて所定の繰出し角度θの二方向に繰り出されている。そして、このように二方向に繰り出されたゴム紐７を区別する場合には、表面側から見て左側に繰り出されているものをゴム紐７Ｌ、表面側から見て右側に繰り出されているものをゴム紐７Ｒとする。
また、上記二方向に繰り出された左右のゴム紐７Ｌ、７Ｒは、上記角隅部３１を形成している交差する二辺３５、３６の近傍で上記風呂敷本体３に糸かがりされることによって固定されており、当該２つの固定部位が上述した２つの係止点Ｅ１、Ｅ２になっている。
そして、上記、左右のゴム紐７Ｌ、７Ｒは、上記２つの係止点Ｅ１、Ｅ２の間隔Ｇ０を少なくとも保って伸張方向に向けて繰り出されるようになっている。
【００２６】
また、上記ゴム紐７の繰出し角度θは、一例として６０°〜９０°に設定されており、風呂敷本体３の形状や大きさ等によって繰出し角度θを適宜微調整して最適な角度が選択されるように構成されている。
また、上記ゴム紐７の一方の係止点Ｅ１から先端部８を通って他方の係止点Ｅ２に至るゴム紐７の周方向の長さは、一例として約５４ｃｍに設定されている。
【００２７】
また、本実施の形態では上記風呂敷本体３の裏面における上記角隅部３１と対角をなす反対側の角隅部３２には、保冷剤Ｃを収容する一例としてポケット状の保冷剤収容部２１が設けられている。
保冷剤収容部２１の材質としては、保冷剤Ｃからの冷気が被包装物Ａに効率良く作用するように多数の通気孔２３が形成されたメッシュ素材が一例として適用できる。
【００２８】
また、保冷剤収容部２１の形状及び大きさは、上記保冷剤Ｃを収容できる種々の形状及び大きさのものが適用できるが、本実施の形態では、当該角隅部３２の形状及び大きさに対応した裏面視三角形状の保冷剤収容部２１を採用している。尚、当該保冷剤収容部２１の風呂敷本体３に対する取り付けは、上述した縁１７と糸１９を使用した縁かがりによって共縫いされることにより実行されている。
【００２９】
次に、このようにして構成される本考案の保冷風呂敷１を使用して被包装物Ａを包装する場合の手順を図７に基づいて説明する。
まず、図７（ａ）に示すように裏面のラミネートフィルム１３を上にして、保冷風呂敷１をテーブル等の上に敷き、ラミネートフィルム１３の一例として中央に被包装物Ａを置く。また、保冷剤収容部２１には予め保冷剤Ｃを収容しておく。
【００３０】
次に、図７（ｂ）に示すように上記保冷剤収容部２１が設けられている下方の角隅部３２を第１の折返し端４１で前面側に折り返して被包装物Ａの下端部を包むように被包装物Ａの前面に被せる。
尚、この状態では、被包装物Ａの前面に上記保冷剤Ｃが収容された保冷剤収容部２１が位置しており、保冷剤Ｃの冷気が保冷剤収容部２１の通気孔２３を通って、直接被包装物Ａに作用するようになっている。
【００３１】
続いて、図７（ｃ）に示すように左側の角隅部３３を第３の折返し端４３で前面側に折り返し、右側の角隅部３４を第４の折返し端４４で前面側に折り返して被包装物Ａの左右の側端部を包むように先に折り返した上記角隅部３２の前面に被せる。
最後に、図７（ｄ）に示すように上記掛止め用ボタン５が設けられている上方の角隅部３１を第２の折返し端４２で前面側に折り返して被包装物Ａの上端部を包むように先に折り返した上記角隅部３３と角隅部３４の前面に被せる。
【００３２】
そして、上記掛止め用ボタン５から繰り出されているゴム紐７の先端部８を持って下方に向けて引っ張り、上記第１の折返し端４１で前面から後面へと巻回した後、上方に向けて引っ張る。更に、上記第２の折返し端４２で後面から再び前面へと巻回し、そのまま下方へ向けて引っ張ってゴム紐７の先端部８を上記掛止め用ボタン５に掛け止めすれば保冷風呂敷１による被包装物Ａの包装が完了する。
【００３３】
また、本実施の形態の保冷風呂敷１は、図１に示すようにゴム紐７を引張って風呂敷本体３に対して巻回し、その先端部８を掛止め用ボタン５に掛止めしただけの状態でも所望の保持力を発揮するが、図８に示すように左右のゴム紐７Ｌ、７Ｒを巻回後、それぞれ左右に移動させて第１の折返し端４１及び第２の折返し端４２での間隔Ｇ１が上記係止点Ｅ１、Ｅ２間の間隔Ｇ０より大きくなるようにすることも可能である。
因みに、このようにした場合には、被包装物Ａをくるんだ状態の風呂敷本体３の包装形態の保持力が向上するから、特にサイズの大きな被包装物Ａを包装する場合に有効である。
【００３４】
また、本実施の形態の保冷風呂敷１は、図９に示すようにサイズの小さな被包装物Ａを包装する場合にも使用できる。この場合には、風呂敷本体３の各角隅部３１、３２、３３、３４がそれぞれオーバーラップした状態で被包装物Ａをくるむようになるから、上記左右のゴム紐７Ｌ、７Ｒの間隔は、上記係止点Ｅ１、Ｅ２間の間隔Ｇ０でも十分な保持力が発揮される。
【００３５】
この他、本考案の保冷風呂敷１を使用しない場合には、例えば図３に示すように４枚に折り畳んだり、ロール状に丸めて仕舞っておいたり、買い物カゴやバッグ等に収容して携帯することも可能である。
そして、このような本実施の形態によれば、掛止め用ボタン５の取付け位置Ｏから繰り出されたゴム紐７の先端部８を単に引張って、前面から後面、そして後面から再び前面へと巻回して掛止め用ボタン５に掛け止めするだけの操作で被包装物Ａを確実に包装して保持することが可能になる。
【００３６】
即ち、輪形のゴム紐７を意識して左右に押し広げなくても、上記ゴム紐７の繰出し角度θと２つの係止点Ｅ１、Ｅ２との作用によって左右のゴム紐７Ｌ、７Ｒ間には上述した所定の間隔Ｇ０が形成されている。
従って、上記第３の折返し端４３で折り返された左側の角隅部３３は、上記左側のゴム紐７Ｌによって前面側から押さえ付けられ、上記第４の折返し端４４で折り返された右側の角隅部３４には、上記右側のゴム紐７Ｒによって前面側から押さえ付けられるため、上述した被包装物Ａの確実な包装が安定して保持され、高い密封性が得られるようになる。
【００３７】
また、表面素材として採用したポリエステル生地によれば、印刷が可能でデザイン性が向上するし、軽撥水効果も得られる。また、裏面に設けたアルミ蒸着またはアルミ箔を使用したラミネートフィルム１３と、中間に設けた所定厚さの発泡樹脂シート１５とによれば、所望の保冷効果が発揮される。
更に、上記角隅部３２に設けた保冷剤収容部２１と該保冷剤収容部２１に収容される保冷剤Ｃとの作用によって一層の保冷効果が得られるようになる。
【００３８】
尚、本考案の保冷風呂敷１は、上記の実施の形態のものに限定されず、その考案の要旨内での設計変更が可能である。例えば、風呂敷本体３の形状は表面視正方形状に限らず、表面視長方形状、表面視菱形形状、表面視円形状等、他の種々の形状が採用可能である。また、風呂敷本体３の大きさも上記実施の形態のものに限らず、種々の大きさのものが採用可能である。
また、本考案の保冷風呂敷１の高い密封性により必要な保冷力が発揮される時には、被包装物Ａの種類等によっては、上記保冷剤収容部２１を省略し他の部位に保冷剤Ｃを使用することも可能であり、また、保冷剤収容部２１は備えていても他の部位に保冷剤Ｃを使用し、または保冷剤Ｃを省略することも可能である。
【００３９】
また、ゴム紐７の繰出し角度θや掛止め用ボタン５の取付け位置Ｏも上記実施の形態で述べた数値の範囲に限らず、保冷風呂敷１の形状や大きさ等に合わせて適宜調整することが可能である。
また、保冷剤収容部２１は、上記実施の形態で述べたポケット状の他、袋状のものでもよいし、面テープ等を使用した圧着式のもの等、種々の構造のものが採用可能である。
また、保冷剤としては蓄冷剤、氷やドライアイスのような冷却剤を使用しても良い。
この他、本考案の保冷風呂敷１は、保冷を必要とする弁当や生鮮食料品等の被包装物Ａを主な対象とするものであるが、このような被包装物Ａに限らず加熱調理された食品等の被包装物Ａにも拡大することが可能である。この場合にはこれらの被包装物Ａが冷めないように保温する目的で本考案の保冷風呂敷１が採用されることになり、保冷剤Ｃの使用を省略するか、保冷剤Ｃに代えて保温剤、蓄熱剤を使用することになる。
【産業上の利用可能性】
【００４０】
本考案の保冷風呂敷は、買いものや通勤、通学あるいはレジャー等の移動中に保冷が必要な被包装物を包装して持ち運びたい場合に利用でき、特に手間を掛けずに簡単、確実に被包装物を包装して保冷性を高めたい場合に利用可能性を有する。
【符号の説明】
【００４１】
１  保冷風呂敷
３  風呂敷本体
５  掛止め用ボタン
７  ゴム紐
８  先端部
１１  撥水樹脂シート
１３  ラミネートフィルム
１５  発泡樹脂シート
１７  縁
１９  糸
２１  保冷剤収容部
２３  通気孔
３１  角隅部
３２  角隅部
３３  角隅部
３４  角隅部
３５  辺
３６  辺
３７  辺
３８  辺
４１  第１の折返し端
４２  第２の折返し端
４３  第３の折返し端
４４  第４の折返し端
５１  ボタン
５２  ボタン
５３  ボタン
５４  ボタン
Ａ  被包装物
Ｏ  取付け装置
ｔ  厚さ
Ｌ  （風呂敷本体の一辺の）長さ
Ｅ  係止点
Ｄ  距離
θ  繰出し角度
Ｃ  保冷剤
Ｇ０  間隔
Ｇ１  間隔
【図１】
0003164631.tif 000003
【図２】
0003164631.tif 000004
【図３】
0003164631.tif 000005
【図４】
0003164631.tif 000006
【図５】
0003164631.tif 000007
【図６】
0003164631.tif 000008
【図７】
0003164631.tif 000009
【図８】
0003164631.tif 000010
【図９】
0003164631.tif 000011